(57)【要約】【課題】  バイパス流路及びバイパス弁を省略しても従来と同様に制御することができる熱媒体の搬送システムを提供すること。【解決手段】  熱供給プラント２と熱利用プラン４とが往き搬送流路６及び戻り搬送流路８を介して接続された熱媒体の搬送システム。熱供給プラント２は複数の熱発生ユニット１０ａ（１０ｂ，１０ｃ）を有し、各熱発生ユニット１０ａは、熱発生機（吸収式冷凍機１６）と、供給流路２２に配設された供給流量制御弁１８と、供給流路２２と戻り流路２４とを接続するバイパス流路２６に配設された戻り流量制御弁２０とを有する。コントローラ３０は、往きヘッダ１２と還りヘッダ１４との圧力差に基づいて複数の熱発生ユニット１０ａの戻り流量制御弁２０を制御し、この圧力差が設定ヘッダ圧を超えると戻り流量制御弁２０の開度を調整し、吸収式冷凍機１６から送給される熱媒体の一部がバイパス流路２６を通して戻り流路２４に戻される。【選択図】  図１
2009243728.tif 000002
【特許請求の範囲】
【請求項１】
熱を供給する熱供給プラントと、熱を利用する熱利用プラントとを備え、前記熱供給プラントと前記熱利用プランとが往き搬送流路及び戻り搬送流路を介して接続され、熱を搬送する熱媒体が前記熱供給プラント、前記往き搬送流路、前記熱利用側プラント及び前記戻り搬送流路を通して循環される熱媒体の搬送システムであって、
前記熱供給プラントは、相互に並列に配設された複数の熱発生ユニットと、前記複数の熱発生ユニットからの熱媒体を前記往き送給流路に送給するための往きヘッダと、前記熱利用プラントからの熱媒体を前記複数の熱発生ユニットに戻すための還りヘッダと、を備えており、
前記複数の熱発生ユニットは、熱を発生する熱発生機と、前記熱発生機の供給側と前記往きヘッダとを接続する供給流路と、前記熱発生機の戻り側と前記還りヘッダとを接続する戻り流路と、前記供給流路と前記戻り流路とを接続する戻りバイパス流路とを備え、前記供給流路における前記熱発生機と前記戻りバイパス流路との間の部位には、前記熱発生機からの熱媒体を送給するための送給ポンプ及び前記供給流路を流れる熱媒体の流量を制御するための供給流量制御弁が配設され、また前記戻りバイパス流路には、前記戻りバイパス流路を流れる熱媒体の流量を制御するための戻り流量制御弁が配設されており、
更に、前記複数の熱発生ユニットの前記送給ポンプ、前記供給流量制御弁及び前記戻り流量制御弁を制御するためのコントローラが設けられ、前記コントローラは、前記往きヘッダ又は前記往き搬送流路と前記還りヘッダ又は前記戻り搬送流路との圧力差に基づいて、前記複数の熱発生ユニットの前記戻り流量制御弁を制御することを特徴とする熱媒体の搬送システム。
【請求項２】
前記熱発生機は冷熱を発生する吸収式冷凍機であり、前記複数の熱発生ユニットの前記供給流路における前記バイパス流路との接続部と前記往きヘッダとの間の部位には、前記供給流路を流れる熱媒体の温度を検知するための温度検知手段が設けられており、
前記温度検知手段の検知温度が第１設定温度以上であるときには、前記戻り流量制御弁が開状態に保持され、前記吸収式冷凍機の供給側からの熱媒体は、前記供給流路、前記戻りバイパス流路及び前記戻り流路を通して前記吸収式冷凍機の戻り側に戻されることを特徴とする請求項１に記載の熱媒体の搬送システム。
【請求項３】
前記熱発生機は温熱を発生する熱源機であり、前記複数の熱発生ユニットの前記供給流路における前記バイパス流路との接続部と前記往きヘッダとの間の部位には、前記供給流路を流れる熱媒体の温度を検知するための温度検知手段が設けられており、
前記温度検知手段の検知温度が第２設定温度以下であるときには、前記戻り流量制御弁が開状態に保持され、前熱源機の供給側からの熱媒体は、前記供給流路、前記戻りバイパス流路及び前記戻り流路を通して前記熱源機の戻り側に戻されることを特徴とする請求項１に記載の熱媒体の搬送システム。
【発明の詳細な説明】
【技術分野】
【０００１】
本発明は、熱供給プラント及び熱利用プラントを循環して熱媒体を搬送する熱媒体の搬送システムに関する。
【背景技術】
【０００２】
地域冷暖房システムにおける熱媒体の搬送システムとして、熱を供給する熱供給プラントと、熱を利用する熱利用プラントとを備え、熱供給プラントと熱利用プランとが往き搬送流路及び戻り搬送流路を介して接続され、熱を搬送する熱媒体が熱供給プラント、往き搬送流路、熱利用側プラント及び戻り搬送流路を通して循環される熱媒体の搬送システムが知られている（例えば、特許文献１参照）。この搬送システムでは、熱供給プラントは複数の熱発生ユニットを備え、複数の熱発生ユニットからの熱媒体が往きヘッダを介して往き搬送流路に送給され、熱利用プラントからの熱媒体が還りヘッダを介して複数の熱発生ユニットに戻される。また、往きヘッダと還りヘッドとの間にバイパス流路が設けられ、このバイパス流路にバイパス弁が配設されている。
【０００３】
この搬送システムでは、往きヘッダと還りヘッダとの圧力差（所謂、ヘッダ差圧）が所定圧に設定され、ヘッダ差圧が所定圧を超えるとバイパス弁が開放され、往きヘッダの熱媒体の一部がバイパス流路を通して還りヘッダに戻され、このようにして熱利用プランとにおける熱負荷の変動を吸収している。そして、熱利用プランとの熱負荷変動が大きいときには、このヘッダ差圧も大きい値に設定され、大きい熱変動を吸収できるようにしている。
【０００４】
【特許文献１】特開２００７−２７１１２０公報
【発明の開示】
【発明が解決しようとする課題】
【０００５】
しかしながら、このような搬送システムにおいては、次の通りの問題がある。第１に、例えば、地域冷房用に熱発生ユニットとして冷凍機を用い、冷熱媒体（例えば，冷水）を熱利用プラントに送給する場合、熱利用プラントにおける冷熱消費が少ないと、冷熱媒体の還り温度が下がり、このような温度の低い冷熱媒体が特定の冷凍機に戻ると、この特定の冷凍機において定格能力が発揮されず、冷凍機の運転効率が低下する問題がある。熱発生ユニットとして熱源機を用い、温熱媒体（例えば、温水）を熱利用プラントに送給する場合にも起こり、熱利用プラントにおける温熱消費が少ないと、温熱媒体の還り温度が高くなり、このような温度の高い温熱媒体が特定の熱源機に戻ると、特定の熱源機の定格能力が発揮されず、熱源機の運転効率が低下する問題がある。
【０００６】
第２に、搬送システム、特にバイパス流路及びバイパス弁をメンテナンスする場合、バイパス流路を通して熱媒体（冷熱媒体、温熱媒体）を流することができず、それ故に、このようなメンテナンスを行うときには、搬送システム全体の運転を一時的に停止しなければならないという問題がある。尚、このようなメンテナンス中の搬送システムの運転の一時的停止を回避するためには、バイパス弁を有するバイパス流路を並列的に二系統設けるようにすればよいが、このように構成すると、搬送システムの構成が複雑になるととともに、搬送システムの設備コストが上昇する問題がある。
【０００７】
本発明の目的は、バイパス流路及びバイパス弁を省略しても従来と同様に制御することができる熱媒体の搬送システムを提供することである。
【課題を解決するための手段】
【０００８】
本発明の請求項１に記載の熱媒体の搬送システムは、熱を供給する熱供給プラントと、熱を利用する熱利用プラントとを備え、前記熱供給プラントと前記熱利用プランとが往き搬送流路及び戻り搬送流路を介して接続され、熱を搬送する熱媒体が前記熱供給プラント、前記往き搬送流路、前記熱利用側プラント及び前記戻り搬送流路を通して循環される熱媒体の搬送システムであって、
前記熱供給プラントは、相互に並列に配設された複数の熱発生ユニットと、前記複数の熱発生ユニットからの熱媒体を前記往き送給流路に送給するための往きヘッダと、前記熱利用プラントからの熱媒体を前記複数の熱発生ユニットに戻すための還りヘッダと、を備えており、
前記複数の熱発生ユニットは、熱を発生する熱発生機と、前記熱発生機の供給側と前記往きヘッダとを接続する供給流路と、前記熱発生機の戻り側と前記還りヘッダとを接続する戻り流路と、前記供給流路と前記戻り流路とを接続する戻りバイパス流路とを備え、前記供給流路における前記熱発生機と前記戻りバイパス流路との間の部位には、前記熱発生機からの熱媒体を送給するための送給ポンプ及び前記供給流路を流れる熱媒体の流量を制御するための供給流量制御弁が配設され、また前記戻りバイパス流路には、前記戻りバイパス流路を流れる熱媒体の流量を制御するための戻り流量制御弁が配設されており、
更に、前記複数の熱発生ユニットの前記送給ポンプ、前記供給流量制御弁及び前記戻り流量制御弁を制御するためのコントローラが設けられ、前記コントローラは、前記往きヘッダ又は前記往き搬送流路と前記還りヘッダ又は前記戻り搬送流路との圧力差に基づいて、前記複数の熱発生ユニットの前記戻り流量制御弁を制御することを特徴とする。
【０００９】
また、本発明の請求項２に記載の熱媒体の搬送システムでは、前記熱発生機は冷熱を発生する吸収式冷凍機であり、前記複数の熱発生ユニットの前記供給流路における前記バイパス流路との接続部と前記往きヘッダとの間の部位には、前記供給流路を流れる熱媒体の温度を検知するための温度検知手段が設けられており、
前記温度検知手段の検知温度が第１設定温度以上であるときには、前記戻り流量制御弁が開状態に保持され、前記吸収式冷凍機の供給側からの熱媒体は、前記供給流路、前記戻りバイパス流路及び前記戻り流路を通して前記吸収式冷凍機の戻り側に戻されることを特徴とする。
【００１０】
更に、本発明の請求項３に記載の熱媒体の搬送システムでは、前記熱発生機は温熱を発生する熱源機であり、前記複数の熱発生ユニットの前記供給流路における前記バイパス流路との接続部と前記往きヘッダとの間の部位には、前記供給流路を流れる熱媒体の温度を検知するための温度検知手段が設けられており、
前記温度検知手段の検知温度が第２設定温度以下であるときには、前記戻り流量制御弁が開状態に保持され、前熱源機の供給側からの熱媒体は、前記供給流路、前記戻りバイパス流路及び前記戻り流路を通して前記熱源機の戻り側に戻されることを特徴とする。
【発明の効果】
【００１１】
本発明の請求項１に記載の熱媒体の搬送システムによれば、熱供給プラントの複数の熱発生ユニットは、熱を発生する熱発生機と、前記熱発生機の供給側と往きヘッダとを接続する供給流路と、熱発生機の戻り側と前記還りヘッダとを接続する戻り流路と、供給流路と戻り流路とを接続する戻りバイパス流路とを備え、供給流路の所定部位（熱発生機と戻りバイパス流路との間の部位）に送給ポンプ及び供給流量制御弁が配設され、また戻りバイパス流路に戻り流量制御弁が配設されている。そして、コントローラは、往きヘッダ（又は往き搬送流路）と還りヘッダ（又は戻り搬送流路）との圧力差（即ち、ヘッダ差圧）に基づいて、複数の熱発生ユニットの戻り流量制御弁を制御するので、従来のバイパス流路のバイパス弁の機能を各熱発生ユニットにおける戻り流量制御弁に持たせることができ、従来のヘッダ圧に基づく制御を維持しながらバイパス流路及びバイパス弁に関連する構成を省略することができる。また、各熱発生ユニットにおいてヘッダ差圧に基づいて戻り流量制御弁を制御するので、熱発生ユニット毎にメンテナンスを行うことによって、この搬送システムを所要の通りに運転しながらメンテナンスを行うことができ、運転の一時停止することなく行うことができる。
【００１２】
また、本発明の請求項２に記載の熱媒体の搬送システムによれば、熱発生ユニットの熱発生機は吸収式冷凍機から構成され、温度検知手段の検知温度（換言すると、往きヘッダに送給される熱媒体の温度）が第１設定温度以上であるときには、コントローラは戻り流量制御弁を開状態に保持するので、充分に冷却されていない熱媒体はバイパス流路及び戻り流路を通して吸収式冷凍機に戻され、このように戻すことによって、供給流路の温度変化（外乱）を防ぐとともに、熱媒体の冷却速度を速めることができる。
【００１３】
更に、本発明の請求項３に記載の熱媒体の搬送システムによれば、熱発生ユニットの熱発生機は熱源機から構成され、温度検知手段の検知温度が第２設定温度以下であるときには、コントローラは戻り流量制御弁を開状態に保持するので、充分に加温されていない熱媒体はバイパス流路及び戻り流路を通して熱源機に戻され、このように戻すことによって、供給流路の温度変化（外乱）を防ぐとともに、熱媒体の加熱速度を速めることができる。
【発明を実施するための最良の形態】
【００１４】
以下、添付図面を参照して、本発明に従う熱媒体の搬送システムの最良の形態を説明する。図１は、本発明に従う熱媒体の搬送システムの一実施形態を示す概略図であり、図２は、図１の搬送システムの制御系を示すブロック図であり、図３は、図１の搬送システムにおける冷房運転開始時の熱媒体の流れを説明するための概略図であり、図４は、図１の搬送システムにおける冷房運転時の熱媒体の流れを説明するための概略図である。
【００１５】
図１及び図２において、図示の熱媒体の搬送システムは、熱を供給する熱供給プラント２と、熱を利用する熱利用プラント４とを備え、熱供給プラント２と熱利用プラント４とが往き搬送流路６及び戻り搬送流路８を介して接続されている。この熱媒体の搬送システムは、地域冷暖房システムなどに好都合に適用することができ、例えば暖房する場合、熱供給プラント２から熱利用プラント４に、熱媒体としての温熱媒体（例えば、温水）が送給され、この温熱媒体の温熱が熱利用プラント４の熱負荷１１にて暖房用に消費され、また冷房する場合、熱供給プラント２から熱利用プラント４に熱媒体としての冷熱媒体（例えば、冷水）が送給され、この冷熱媒体の冷熱が熱利用プラント４の熱負荷１１にて冷房用に消費される。以下、冷房用冷熱を搬送する場合について説明するが、暖房用熱を搬送する場合にも同様に適用することができる。
【００１６】
この実施形態では、熱供給プラント２は、相互に並列的に配設された複数の熱発生ユニット１０ａ、１０ｂ、１０ｃ（図１において３つ示す）と、これら熱発生ユニット１０ａ，１０ｂ，１０ｃからの熱媒体が供給される往きヘッダ１２と、熱利用プラント４からの熱媒体が戻る還りヘッダ１４とを備えている。複数の熱発生ユニット１０ａ，１０ｂ，１０ｃは実質上同一の構成であり、以下それらの一つの熱発生ユニット１０ａ（１０ｂ，１０ｃ）について説明する。熱発生ユニット１０ａ（１０ｂ，１０ｃ）は、熱（冷熱）を発生する熱発生機としての吸収式冷凍機１６と、流量を制御するための供給流量制御弁１８及び戻り流量制御弁２０を備えている。吸収式冷凍機１６の供給側は供給流路２２を介して往きヘッダ１２に接続され、その戻り側は戻り流路２４を介して還りヘッダ１４に接続され、供給流路２２と戻り流路２４とはバイパス流路２６を介して接続されている。供給流量制御弁１８は、供給流路２２に、具体的にはバイパス流路２６との接続部と吸収冷凍機１６との間の部位に配設され、また戻り流量制御弁２０は、バイパス流路２６に配設されている。
【００１７】
熱発生ユニット１０ａ（１０ｂ，１０ｃ）は、更に、熱媒体を送給する送給ポンプ２８を備え、この送給ポンプ２８が、供給流路２２に、具体的にはバイパス流路２６との接続部と吸収式冷凍機１６との間の部位であって、供給流路制御弁１８の上流側に配設されている。また、往き搬送流路６には、必要に応じて、加圧タンク３６が設けられる。
【００１８】
このように構成されているので、供給流量制御弁１８が開状態で、戻り流量制御弁２０が閉状態のときには、吸収式冷凍機１６からの熱媒体は供給流路２２を通して往きヘッダ１２に送給され、また供給流量制御弁１８及び戻り流量制御弁２０が開状態のときには、吸収式冷凍機１６からの熱媒体の大部分は供給流路２２を通して往きヘッダ１２に送給され、その残部はバイパス流路２６を通して戻り流路２４に戻される。
【００１９】
この搬送システムは、熱発生ユニット１０ａ，１０ｂ，１０ｃを制御するためのコントローラ３０を含んでいる。このコントローラ３０に関連して、往きヘッダ１２に第１圧力センサ３２が設けられ、還りヘッダ１４に第２圧力センサ３４が設けられている。第１圧力センサ３２は往きヘッダ１２内の熱媒体の圧力を検知し、第２圧力センサ３４は還りヘッダ１４内の熱媒体の圧力を検知し、これら検知センサ３２，３４からの検知信号はコントローラ３０に送給される。尚、第１圧力センサ３２は往き搬送流路６に配設するようにしてもよく、また第２圧力センサ３４は戻り搬送流路８に配設するようにしてもよい。
【００２０】
また、熱発生ユニット１０ａ，１０ｂ，１０ｃの吸収式冷凍機１６に関連して、その供給側の下流に温度センサ３８ａ，３８ｂ，３８ｃが配設され、温度センサ３８ａ、３８ｂ，３８ｃは、対応する吸収式冷凍機１６から供給される熱媒体の温度を検知し、これら温度センサ３８ａ，３８ｂ，３８ｃからの検知信号もコントローラ３０に送給される。
【００２１】
コントローラ３０は、作動制御手段４０、温度判定手段４２，弁切換信号生成手段４４、ヘッダ差圧演算手段４６、ヘッダ差圧判定手段４８、開度調整信号生成手段５０及びメモリ手段５２を備えている。作動制御手段４０は、熱発生ユニット１０ａ，１０ｂ，１０ｃ（吸収式冷凍機１６、送給ポンプ２８、供給流量制御弁１８、戻り流量制御弁２０）を後述する如く制御する。メモリ手段５２には、吸収式冷凍機１６からの熱媒体の流れを切り換えるための基準となる設定温度（第１設定温度であって、例えば９℃に設定される）及びバイパス弁２０を開放するための基準となる設定ヘッダ差圧が登録されており、温度判定手段４２は、温度センサ３８ａ，３８ｂ，３８ｃの検知温度が設定温度以上であるかを判定し、弁切換信号生成手段４４は、温度判定手段４２の判定信号に基づいて弁切換信号を後述する如く生成する。また、ヘッダ差圧演算手段４６は、第１圧力センサ３２及び第２圧力センサ３４の検知圧力に基づいてヘッダ差圧を演算し，ヘッダ差圧判定手段４８は、ヘッダ差圧がメモリ手段５２に登録された設定ヘッダ差圧を超えたかを判定し、開度調整信号生成手段５０は、ヘッダ差圧判定手段４８の判定結果に基づいてバイパス弁２０の開度を調整する開度調整信号を生成する。
【００２２】
この熱媒体の搬送システムでは、熱媒体の搬送は次の通りにして行われる。図１及び図２ととともに図３及び図４を参照して、例えば、冷房運転開始時には、運転を開始する熱発生ユニット１０ａ（又は１０ｂ、１０ｃ）の供給流路制御弁１８及びバイパス弁２０は開状態に保持される。従って、運転する熱発生ユニット１０ａ（又は１０ｂ、１０ｃ）の運転開始時においては、吸収式冷凍機１６にて冷やされた熱媒体（冷熱媒体）は、図３に実線の矢印で示すように、供給流路２２及びバイパス流路２６を通して戻り流路２４に戻され、従って、熱媒体は供給流路２２、バイパス流路２６及び戻り流路２４を通して循環される。
【００２３】
そして、運転開始された熱発生ユニット１０ａ（又は１０ｂ、１０ｃ）の吸収式冷凍機１６から送給される熱媒体の温度が設定温度より低くなる、即ち温度センサ３８ａ（又は３８ｂ、３８ｃ）の検知温度が設定温度より低くなると、コントローラ３０の温度判定手段４２は、この検知温度が設定温度（第１設定温度）よりも低くなったことを判定し、弁切換信号生成手段４４は、この温度判定手段４２の判定結果に基づいて弁切換信号を生成する。このように弁切換信号が生成されると、作動制御手段４０は、生成された弁切換信号に基づいて、バイパス弁２０を閉状態に切り換える。このように切り換わると、運転された熱発生ユニット１０ａ（又は１０ｂ、１０ｃ）の吸収式冷凍機１６からの熱媒体は、図４に実線の矢印で示すように、供給流路２２を通して往きヘッダ１２に送給され、この往きヘッダ１２から往き搬送流路６を通して熱利用プラント４の熱負荷１１に送給され、この熱負荷１１において熱媒体により搬送された冷熱が消費される。熱負荷１１からの熱媒体は、戻り搬送流路８及び戻り流路２４を通して熱発生ユニット１０ａ（又は１０ｂ、１０ｃ）の吸収式冷凍機１６に戻され、この吸収式冷凍機１６にて冷却され、冷却された熱媒体が再び上述したようにして往きヘッダ１２に送給され、このようにして熱利用プラント４の熱負荷１１に冷熱が送られる。
【００２４】
この運転中にヘッダ差圧、即ちヘッダ差圧演算手段４６により演算されたヘッダ差圧が設定ヘッダ差圧を超えると、ヘッダ差圧判定手段４８がこれを判定し、このヘッダ差圧判定手段４８の判定結果に基づいて開度調整信号生成手段５０は、運転中の熱発生ユニット１０ａ（又は１０ｂ、１０ｃ）のバイパス弁２０の開度調整信号を生成し、作動制御手段４０は、生成された開度調整信号に基づいてバイパス弁２０を開放する。この実施形態では、開度調整信号生成手段５０は、上述したヘッダ差圧の大きさに応じた開度調整信号を生成し、ヘッダ差圧が小さいときには開度を小さくする開度調整信号を生成し、ヘッダ差圧が大きいときには開度を大きくする開度調整信号を生成する。
【００２５】
運転中の熱発生ユニット１０ａ（１０ｂ，１０ｃ）におけるバイパス弁２０が上述した如くして開放されると、図４に破線の矢印で示すように、吸収式冷凍機１６から供給流路２２を通して往きヘッダ１２に送給される熱媒体の一部がバイパス流路２４を通して戻り流路２４に戻され、これによって往きヘッダ１２に送給される熱媒体の送給量が減少し、その結果、ヘッダ差圧が下がって設定ヘッダ差圧以下に下がり、このようにバイパス弁２０の開度を調整してしてヘッダ差圧の調整を行うことができる。尚、このヘッダ差圧が設定ヘッダ差圧以下に低下すると、作動制御手段４０は、運転中の熱発生ユニット１０ａ（又は１０ｂ、１０ｃ）の戻り流量制御弁２０を閉状態にし、バイパス流路２６を通しての熱媒体の流れが停止する。
【００２６】
上述した熱搬送システムにおいては、熱発生ユニット１０ａ，１０ｂ，１０ｃを上述した如く制御するので、次の通りの特徴を有する。従来の搬送システムで必要であった往きヘッダと還りヘッダとの間のバイパス流路及びバイパス弁を省略することができ、これによって、各熱発生ユニット１０ａ，１０ｂ，１０ｃ毎のメンテナンスが可能となり、搬送システム全体を一時的に運転停止することなくメンテナンスを行うことができる。また、ヘッダ差圧による熱媒体の戻りが運転中の熱発生ユニット１０ａ，１０ｂ，１０ｃ毎に行われるので、この熱媒体の戻り量が運転中の熱発生ユニット１０ａ，１０ｂ，１０ｃに分散され、吸収式冷凍機１６の戻り側温度（吸込み温度）が下がることによる吸収式冷凍機の能力低下が回避でき、これによってその運転効率の低下と供給流路の温度変化（外乱）の対策を行うことができる。
【００２７】
以上、この搬送システムを用いて冷房する場合について説明したが、暖房する場合には、次の通りとなる。即ち、熱発生ユニット１０ａ，１０ｂ，１０ｃの熱発生機として温熱を発生する熱源機が用いられ、メモリ手段５２に登録される設定温度として熱源機からの熱媒体（温熱媒体）の流れを切り換えるための基準となる温度（第２設定温度であって、例えば７５℃に設定される）が登録される。運転開始時においては、供給流路制御弁１８及び戻り流路制御弁２０が開状態に保持される。そして、運転開始された熱発生ユニット１０ａ（又は１０ｂ、１０ｃ）の熱源機から送給される熱媒体の温度が設定温度（第２設定温度）より高くなると、コントローラ３０の温度判定手段４２は、この検知温度が設定温度（第２設定温度）よりも高くなったことを判定し、弁切換信号生成手段４４は、この温度判定手段４２の判定結果に基づいて弁切換信号を生成し、この弁切換信号に基づいて、戻り流路制御弁２０が開状態から閉状態に切り換えられ、このようにして暖房運転の運転開始時においても、運転された熱発生ユニット１０ａ（又は１０ｂ、１０ｃ）の熱源機からの熱媒体は、供給流路２２、バイパス流路２６及び戻り流路２４を通して熱源機に戻される。このように熱媒体を流すことによって、冷房の場合と同様の作用効果が達成される。
【００２８】
以上、本発明に従う熱媒体の搬送システムの一実施形態について説明したが、本発明はかかる実施形態に限定されるものではなく、本発明の範囲を逸脱することなく種々の変形、修正が可能である。
【図面の簡単な説明】
【００２９】
【図１】本発明に従う熱媒体の搬送システムの一実施形態を示す概略図。
【図２】図１の搬送システムの制御系を示すブロック図。
【図３】図１の搬送システムにおける冷房運転開始時の熱媒体の流れを説明するため概略図。
【図４】図１の搬送システムにおける冷房運転時の熱媒体の流れを説明するための概略図。
【符号の説明】
【００３０】
２  熱供給プラント
４  熱利用プラント
６  往き搬送流路
８  戻り搬送流路
１０ａ，１０ｂ，１０ｃ  熱発生ユニット
１２  往きヘッダ
１４  還りヘッダ
１６  吸収式冷凍機
１８  供給流量制御弁
２０  戻り流量制御弁
２２  送給流路
２４  戻り流路
２６  バイパス流路
３０  コントローラ
【図１】
2009243728.tif 000003
【図２】
2009243728.tif 000004
【図３】
2009243728.tif 000005
【図４】
2009243728.tif 000006